(57)【要約】      （修正有）【課題】２以上の収容部のいずれかに収容された液体を選択的に吐出することができるスプレー装置を提供する。【解決手段】スプレー装置の代表的な構成は、液体10ａ、10ｂを収容する２以上の収容部１ａ、１ｂと、各収容部１ａ、１ｂ毎に設けられ、収容された液体10ａ、10ｂを加圧する２以上のピストン２ａ、２ｂと、各収容部１ａ、１ｂ毎に設けられ、加圧された液体10ａ、10ｂを圧送する２以上のチューブ３ａ、３ｂと、各チューブ３ａ、３ｂから圧送された液体10ａ、10ｂを吐出するノズル４と、ピストン２ａ、２ｂを押圧する状態と押圧しない状態に切り替え可能なシャッター部材５ａ、５ｂと、シャッター部材５ａ、５ｂを介してピストン２ａ、２ｂを押圧するトリガー６と、を有する。【選択図】図１
0003109470.tif 000002
【実用新案登録請求の範囲】
【請求項１】
液体を収容する２以上の収容部と、
各収容部毎に設けられ、収容された液体を加圧する２以上のピストンと、
各収容部毎に設けられ、加圧された液体を圧送する２以上のチューブと、
前記各チューブから圧送された液体を吐出するノズルと、
前記ピストンを押圧する状態と押圧しない状態に切り替え可能な切り替え手段と、
該切り替え手段を介して前記ピストンを押圧するトリガーと、を有することを特徴とするスプレー装置。
【請求項２】
前記切り替え手段は、各ピストン毎に切り替え可能としたことを特徴とする請求項１に記載のスプレー装置。
【請求項３】
前記切り替え手段は、任意の１又は２以上の前記ピストンを押圧する状態と前記いずれのピストンも押圧しない状態に切り替え可能であることを特徴とする請求項２に記載のスプレー装置。
【請求項４】
前記トリガーは、窓孔を有しており、
前記切り替え手段は、前記窓孔を開閉するシャッター部材であり、該窓孔を閉じた状態で前記ピストンを押圧する状態となり、該窓孔を開いた状態で前記ピストンを押圧しない状態となるシャッター部材であることを特徴とする請求項１乃至請求項３のいずれか１項に記載のスプレー装置。
【請求項５】
前記切り替え手段は、前記トリガー側に回動軸を有し、端部を前記ピストンに当接する位置と当接しない位置に回動して切り替えを行う回動部材であることを特徴とする請求項１乃至請求項３のいずれか１項に記載のスプレー装置。
【請求項６】
前記切り替え手段は、前記トリガーの押圧方向と交差する方向にスライドし、前記ピストンと前記トリガーとの間に移動することで切り替えを行うスライド部材であることを特徴とする請求項１乃至請求項３のいずれか１項に記載のスプレー装置。
【請求項７】
前記切り替え手段は、前記トリガーの押圧方向と交差する方向に回転し、前記ピストンと前記トリガーとの間に移動することで切り替えを行う回転体であることを特徴とする請求項１乃至請求項３のいずれか１項に記載のスプレー装置。 
【考案の詳細な説明】
【技術分野】
【０００１】
本考案は、収容した液体を吐出するトリガー式のスプレー装置に関するものである。
【背景技術】
【０００２】
従来から、２つの流体隔室から異種の流体を別々でかつ同時に汲み上げるための単一のトリガーレバーに与える各加圧ストロークの間、同時に往復動自在な一対の並んだポンプピストンを受容する一対の並んだポンプシリンダーを有するトリガー式流体ディスペンサーが提案されている（特許文献１参照）。
【０００３】
かかるトリガー式流体ディスペンサーによれば、流体容器中で別々に分けられた流体隔室に別々貯蔵した異種の流体を同時に噴射することができる。
【０００４】
【特許文献１】特開平８−２１５６１７号公報
【考案の開示】
【考案が解決しようとする課題】
【０００５】
しかしながら、上記特許文献１の技術では、２つの流体隔室に収容された異種の流体の一方のみを選択的に吐出することはできない。
【０００６】
そこで本考案は、２以上の収容部のいずれかに収容された液体を選択的に吐出することができるスプレー装置を提供することを目的とする。
【課題を解決するための手段】
【０００７】
上記課題を解決するために本考案に係るスプレー装置の第１の構成は、液体を収容する２以上の収容部と、各収容部毎に設けられ、収容された液体を加圧する２以上のピストンと、各収容部毎に設けられ、加圧された液体を圧送する２以上のチューブと、前記各チューブから圧送された液体を吐出するノズルと、前記ピストンを押圧する状態と押圧しない状態に切り替え可能な切り替え手段と、該切り替え手段を介して前記ピストンを押圧するトリガーと、を有することを特徴とする。
【０００８】
また、本考案に係るスプレー装置の第２の構成は、第１の構成のスプレー装置において、前記切り替え手段は、各ピストン毎に切り替え可能としたことを特徴とする。これにより、（１）いずれの液も選択しないロック状態、（２）任意の１つの液を選択して吐出可能な状態、（３）２以上の液を選択して、２以上の液を混合して同時に吐出可能な状態、に切り替えることができる。
【０００９】
また、本考案に係るスプレー装置の第３の構成は、第２の構成のスプレー装置において、前記切り替え手段は、任意の１又は２以上の前記ピストンを押圧する状態と前記いずれのピストンも押圧しない状態に切り替え可能であることを特徴とする。これにより、第２の構成と同様に、（１）いずれの液も選択しないロック状態、（２）任意の１つの液を選択して吐出可能な状態、（３）２以上の液を選択して、２以上の液を混合して同時に吐出可能な状態、に切り替えることができる。
【００１０】
また、本考案に係るスプレー装置の第４の構成は、第１〜第３のいずれかの構成のスプレー装置において、前記トリガーは、窓孔を有しており、前記切り替え手段は、前記窓孔を開閉するシャッター部材であり、該窓孔を閉じた状態で前記ピストンを押圧する状態となり、該窓孔を開いた状態で前記ピストンを押圧しない状態となるシャッター部材であることを特徴とする。これにより、切り替え手段がトリガーの幅から出ることがなく、スプレー装置が大型化することを防止できる。また、トリガーの正面からどのピストンを押圧する状態か容易に認識することができ、誤操作を抑制できる。
【００１１】
また、本考案に係るスプレー装置の第５の構成は、第１の構成のスプレー装置において、前記切り替え手段は、前記トリガー側に回動軸を有し、端部を前記ピストンに当接する位置と当接しない位置に回動して切り替えを行う回動部材であることを特徴とする。これにより、切り替え手段がトリガーの幅から出ることがなく、スプレー装置が大型化することを防止できる。
【００１２】
また、本考案に係るスプレー装置の第６の構成は、第１〜第３のいずれかの構成のスプレー装置において、前記切り替え手段は、前記トリガーの押圧方向と交差する方向にスライドし、前記ピストンと前記トリガーとの間に移動することで切り替えを行うスライド部材であることを特徴とする。これにより、スライド部材を所定の位置にスライドするといった簡単な操作で、ピストンを押圧する状態と押圧しない状態に切り替えることができる。また、１つのスライド部材で複数のピストンを押圧する状態と押圧しない状態に切り替えることができる。
【００１３】
また、本考案に係るスプレー装置の第７の構成は、第１〜第３のいずれかの構成のスプレー装置において、前記切り替え手段は、前記トリガーの押圧方向と交差する方向に回転し、前記ピストンと前記トリガーとの間に移動することで切り替えを行う回転体であることを特徴とする。これにより、回転体を所定の位置に回転移動するといった簡単な操作で、ピストンを押圧する状態と押圧しない状態に切り替えることができる。また、１つの回転体で複数のピストンを押圧する状態と押圧しない状態に切り替えることができる。
【考案の効果】
【００１４】
本考案によれば、２以上の収容部のいずれかに収容された液体を選択的に吐出することができる。
【考案を実施するための最良の形態】
【００１５】
[第一実施形態]
本考案に係るスプレー装置の第一実施形態について、図を用いて説明する。図１はスプレー装置Ａの構成図である。図２は切り替え手段の説明図（断面図）である。図３は切り替え手段の説明図（斜視図）である。図４はスプレー装置Ａの動作の説明図である。
【００１６】
（スプレー装置Ａの構成）
まず、スプレー装置Ａの構成について説明する。図１に示すように、スプレー装置Ａは、収容部１ａ、１ｂ、ピストン２ａ、２ｂ、チューブ３ａ、３ｂ、ノズル４、切り替え手段であるシャッター部材５ａ、５ｂ、トリガー６、バルブ12ａ、12ｂから形成されている。
【００１７】
収容部１ａ、１ｂは、内部に液体10ａ、10ｂを収容している。収容部１ａ、１ｂは、容器本体を壁面11によって液体10ａ、10ｂが混ざらないように分離して形成されている。
【００１８】
液体10ａ、10ｂとして、例えば、洗浄剤、消臭剤や、青色、赤色の塗料、単独では固化しないが、混合して固化する液体等を収容することができる。収容部１ａ、１ｂは、ポリエチレン（ＰＥ）、ポリプロピレン（ＰＰ）、オレフィン系炭化水素等で形成される。
【００１９】
図４に示すように、ピストン２ａ、２ｂは、各収容部１ａ、１ｂ毎に設けられ、収容された液体10ａ、10ｂを加圧する。ピストン２ａ（２ｂ）は、収容部１ａ（１ｂ）に収容された液体を加圧する。ピストン２ａ（２ｂ）は、トリガー６により押圧される凸部２ａ１（２ｂ１）と、収容部１ａ（１ｂ）側に形成され、収容部１ａ（１ｂ）内の空気を加圧して収容された液体10ａ（10ｂ）を加圧する加圧部２ａ２（２ｂ２）を備えている。
【００２０】
チューブ３ａ、３ｂは、各収容部１ａ、１ｂ毎に設けられ、加圧された液体10ａ、10ｂをノズル４に圧送する。チューブ３ａ（３ｂ）は、一端を収容部１ａ（１ｂ）の底部へ垂下し、他端をノズル４に連結している。ノズル４は、先端に吐出口４ａを穿孔しており、吐出口４ａから各チューブ３ａ、３ｂから圧送された液体を吐出する。
【００２１】
バルブ12ａ（12ｂ）は、チューブ３ａ（３ｂ）とノズル４との間に配置されている。バルブ12ａ（12ｂ）は、液体10ａ（10ｂ）を吐出しない際に、液体10ａ（10ｂ）が漏れないようにチューブ３ａ（３ｂ）を閉める。
【００２２】
トリガー６は、窓孔６ａ、６ｂを有している。窓孔６ａ（６ｂ）はシャッター部材５ａ（５ｂ）によって開閉される。
【００２３】
図２（ｃ）に示すように、シャッター部材５ａ（５ｂ）で窓孔６ａ（６ｂ）を閉じた状態でピストン２ａ（２ｂ）を押圧可能な状態となる。この状態で、トリガー６を引くと、図２（ｄ）に示すように、シャッター部材５ａ（５ｂ）がピストン２ａ（２ｂ）を押し込む。
【００２４】
一方、図２（ａ）に示すように、シャッター部材５ａ（５ｂ）で窓孔６ａ（６ｂ）を開いた状態でピストン５ａ（５ｂ）を押圧しない状態となる。この状態で、トリガー６を引くと、図２（ｂ）に示すように、ピストン２ａ（２ｂ）が窓孔６ａ（６ｂ）を貫通し、ピストン２ａ（２ｂ）は押圧されない。
【００２５】
トリガー６は、バネ等（不図示）によりシャッター部材５ａ、５ｂがピストン２ａ、２ｂを押圧しない位置に付勢されている。
【００２６】
シャッター部材５ａ（５ｂ）は、ピストン２ａ（２ｂ）を押圧する状態（図２（ｃ）、図２（ｄ）の状態）と押圧しない状態（図２（ａ）、図２（ｂ）の状態）に、各ピストン毎に切り替え可能である。すなわち、任意の１又は２のピストンを押圧する状態といずれのピストンも押圧しない状態に切り替え可能である。
【００２７】
具体的には、（１）いずれの液も選択しないロック状態（図３（ａ）の状態）、（２）任意の１つの液（10ａ又は10ｂ）を選択して吐出可能な状態（図３（ｂ）、図３（ｃ）の状態）、（３）２つの液（10ａ、10ｂの両方）を選択して、２つの液（10ａと10ｂ）を混合して同時に吐出可能な状態（図３（ｄ）の状態）、に切り替えることができる。
【００２８】
（スプレー装置Ａの動作）
次に、スプレー装置Ａの動作について説明する。図４（ａ）、図４（ｂ）に示すように、トリガー６を引くと、シャッター部材５ｂで窓孔６ｂを閉じた状態で、ピストン２ａ（２ｂ）が押し込まれる。これにより、収容部１ａ（１ｂ）内の空気が圧縮されて液面を押し下げ、収容部１ａ（１ｂ）内の液体10ａ（10ｂ）がチューブ３ａ（３ｂ）内を上昇する。上昇した液体10ａ（10ｂ）は、バルブ12ａ（12ｂ）を押し上げ、ノズル４内に入り、先端の吐出口４ａから吐出される。
【００２９】
図４（ｃ）に示すように、トリガー６から指を離すと、バネ等の付勢力によりトリガー６が元の位置に戻り、収容部１ａ（１ｂ）内が負圧状態となり、液体10ａ（10ｂ）がチューブ３ａ（３ｂ）内を下降して収容部１ａ（１ｂ）内に戻る。この際、バルブ12ａ（12ｂ）は、チューブ３ａ（３ｂ）の先端を閉じる。
【００３０】
ここで、シャッター部材５ａ、５ｂで窓孔６ａ、６ｂの両方を閉じた場合（図３（ｄ）の状態）には、トリガー６を引くと、ピストン２ａ、２ｂが押し込まれる。そして、液体10ａ、10ｂが、チューブ３ａ、３ｂ内を上昇しし、バルブ12ａ、12ｂを押し上げ、ノズル４内で混合して、先端の吐出口４ａから同時に吐出される。
【００３１】
また、シャッター部材５ａ、５ｂで窓孔６ａ、６ｂの両方を開いた場合（図３（ａ）の状態）には、トリガー６を引くと、ピストン２ａ、２ｂが窓孔６ａ、６ｂを貫通し、押し込まれない。このため、液体10ａ、10ｂのいずれも、吐出することはない。
【００３２】
以上説明したように、シャッター部材５ａ、５ｂで窓孔６ａ、６ｂを開閉することで、収容部１ａ、１ｂに収容された液体10ａ、10ｂを選択的に吐出することができる。すなわち、液体10ａのみ、液体10ｂのみ、液体10ａ、10ｂの両方を吐出する、液体10ａ、10ｂのいずれも吐出しない、という選択ができる。
【００３３】
また、切り替え手段がトリガー６の幅から出ることがなく、スプレー装置Ａが大型化することを防止できる。また、トリガー６の正面からどのピストン２ａ、２ｂを押圧する状態か容易に認識することができ、誤操作を抑制できる。
【００３４】
尚、本実施形態では、収容部を２つとしたスプレー装置Ａについて説明したが、本考案はかかる構成に限定されるものではない。例えば、３つの収容部等、２以上の収容部を設けてもよく、これにより、２以上の収容部のいずれかに収容された液体を選択的に吐出することができる。
【００３５】
[第二実施形態]
次に本考案に係るスプレー装置の第二実施形態について図を用いて説明する。図５は本実施形態に係る切り替え手段の説明図である。上記第一実施形態と説明の重複する部分については、同一の符号を付して説明を省略する。
【００３６】
図５に示すように、本実施形態にかかるスプレー装置は、上記第一実施形態にかかるスプレー装置Ａのトリガー６をトリガー26、ピストン２ａ、２ｂをピストン22ａ、22ｂに変え、切り替え手段としてシャッター部材５ａ、５ｂに変えて回動部材25ａ、25ｂを設けたものである。
【００３７】
トリガー26は、上記第一実施形態のトリガー６において、窓孔６ａ、６ｂが穿孔されておらず、シャッター部材５ａ、５ｂも設けられていない形状となっている。そして、トリガー26の裏面には、切り替え手段である回動部材25ａ、25ｂが設けられている。
【００３８】
回動部材25ａ、25ｂは、トリガー26側の一端を回動軸25ａ１、25ｂ１で回動可能に軸支されている。回動部材25ａ（25ｂ）の端部（他端）には、ピストン22ａ（22ｂ）と嵌合する嵌合部25ａ２（25ｂ２）が形成されている。ピストン22ａ（22ｂ）の先端には、回動部材25ａ（25ｂ）の嵌合部25ａ２（25ｂ２）と嵌合する嵌合部22ａ１（22ｂ１）が形成されている。
【００３９】
図５（ｃ）、図５（ｄ）に示すように、回動部材25ａ（25ｂ）は、トリガー26内に収納可能となっており、収納された状態で嵌合部25ａ２（25ｂ２）がピストン22ａ（22ｂ）に当接しないようになっている。
【００４０】
また、図５（ｅ）、図５（ｆ）に示すように、回動部材25ａ（25ｂ）を回動することで、嵌合部25ａ２（25ｂ２）をピストン22ａ（22ｂ）の嵌合部22ａ１（22ｂ１）と嵌合させて、トリガー26とピストン22ａ（22ｂ）を連結する。
【００４１】
回動部材25ａ（25ｂ）でトリガー26とピストン22ａ（22ｂ）を連結した状態でピストン22ａ（22ｂ）を押圧する状態となり、回動部材25ａ（25ｂ）をトリガー26内に収納してトリガー26とピストン22ａ（22ｂ）を連結しない状態でピストン22ａ（22ｂ）を押圧しない状態となる。
【００４２】
このように、回動部材25ａ、25ｂの回動により、ピストン22ａ、22ｂを押圧する状態（図５（ｅ）、図５（ｆ）の状態）と押圧しない状態（図５（ｃ）、図５（ｄ）の状態）に、各ピストン毎に切り替えることができる。これにより、上記第一実施形態と同様に、収容部１ａ、１ｂに収容された液体10ａ、10ｂを選択的に吐出することができる。すなわち、液体10ａのみ、液体10ｂのみ、液体10ａ、10ｂの両方を吐出する、液体10ａ、10ｂのいずれも吐出しない、という選択ができる。
【００４３】
また、切り替え手段がトリガー26の幅から出ることがなく、スプレー装置が大型化することを防止できる。また、ピストン22ａ、22ｂの先端はシリンダ内に収まっているため、誤ってピストン22ａ、22ｂを押してしまうことを抑制することができる。また、２以上の収容部を有するスプレー装置であっても、２以上の収容部のいずれかに収容された液体を選択的に吐出することができる。
【００４４】
［第三実施形態］
次に本考案に係るスプレー装置の第三実施形態について図を用いて説明する。図６は本実施形態に係る切り替え手段の説明図である。上記第一実施形態と説明の重複する部分については、同一の符号を付して説明を省略する。
【００４５】
図６に示すように、本実施形態にかかるスプレー装置は、上記第一実施形態にかかるスプレー装置Ａのトリガー６をトリガー36に変え、切り替え手段としてシャッター部材５ａ、５ｂに変えてスライド部材35を設けたものである。
【００４６】
トリガー36は、上記第一実施形態のトリガー６において、窓孔６ａ、６ｂが穿孔されておらず、シャッター部材５ａ、５ｂも設けられていない形状となっている。
【００４７】
スライド部材35は、Ｔ字状に形成されており、凸部35ａがトリガー36と当接し、押圧部35ｂがピストン２ａ、２ｂを押圧可能となっている。スライド部材35は、トリガー36の押圧方向と交差する方向（矢印Ｘ方向）にスライドし、ピストン２ａ、２ｂとトリガー36との間に移動することで、ピストン２ａ、２ｂを押圧する状態と押圧しない状態に切り替えを行う。
【００４８】
具体的には、スライド部材35は、（１）押圧部35ｂがピストン２ａ、２ｂの両方に当接する位置（図６（ａ）の位置）と、（２）押圧部35ｂがピストン２ａのみに当接する位置（図６（ｄ）の位置）と、（３）押圧部35ｂがピストン２ｂのみに当接する位置（図６（ｇ）の位置）と、にスライド移動して、切り替えを行う。
【００４９】
これにより、任意の１つの液（10ａ又は10ｂ）を選択して吐出可能な状態（図６（ｄ）〜図６（ｆ）、図６（ｇ）〜図６（ｉ）の状態）、２つの液（10ａ、10ｂの両方）を選択して、２つの液（10ａと10ｂ）を混合して同時に吐出可能な状態（図６（ａ）〜図６（ｃ）の状態）、に切り替えることができる。
【００５０】
また、スライド部材35を所定の位置にスライドするといった簡単な操作で、ピストン２ａ、２ｂを押圧する状態と押圧しない状態に切り替えることができる。また、１つのスライド部材35で複数のピストン２ａ、２ｂを押圧する状態と押圧しない状態に切り替えることができる。
【００５１】
[第四実施形態]
次に本考案に係るスプレー装置の第四実施形態について図を用いて説明する。図７は本実施形態に係る切り替え手段の説明図である。上記第一実施形態と説明の重複する部分については、同一の符号を付して説明を省略する。
【００５２】
図７に示すように、本実施形態にかかるスプレー装置は、上記第一実施形態にかかるスプレー装置Ａのトリガー６をトリガー46、ピストン２ａ、２ｂをピストン42ａ、42ｂに変え、切り替え手段としてシャッター部材５ａ、５ｂに変えて回転体45を設けたものである。
【００５３】
トリガー46は、上記第一実施形態のトリガー６において、窓孔６ａ、６ｂが穿孔されておらず、シャッター部材５ａ、５ｂも設けられていない形状となっている。また、トリガー46の裏面には、回転体45と係合する係合凹部46ａ、46ｂが形成されている。
【００５４】
回転体45は、所定の角度で固定された２本の振り子にて形成されており、各振り子の先端45ａ、45ｂの一面がトリガー36と当接し、先端45ａ、45ｂの他面がピストン42ａ、42ｂを押圧可能となっている。回転体45は、回転軸45ｃを中心としてトリガー46の押圧方向と交差する方向（矢印Ｙ方向）に回転し、ピストン42ａ、42ｂとトリガー46との間に移動することで切り替えを行う。
【００５５】
図７（ｇ）、図７（ｈ）に示すように、先端45ａ、45ｂの一面には、トリガー46の係合凹部46ａ、46ｂと係合する係合突起45ａ１、45ｂ１が形成されている。また、先端45ａ、45ｂの他面には、ピストン42ａ、42ｂの先端に形成された係合凹部42ａ１、42ｂ１と係合する係合突起45ａ２、45ｂ２が形成されている。
【００５６】
凹部46ａ、46ｂと係合突起45ａ１、45ｂ１、係合凹部42ａ１、42ｂ１と係合突起45ａ２、45ｂ２が係合することで、先端45ａ、45ｂが不容易にピストン42ａ、42ｂとトリガー46との間から外れることを防止することができる。
【００５７】
図７（ｅ）、図７（ｆ）に示すように、先端45ａ、45ｂをピストン42ａ、42ｂとトリガー46との間から回転移動した状態で、ピストン42ａ、42ｂとトリガー46が連結せず、トリガー46を引いてもピストン42ａ、42ｂが押圧されないようになっている。
【００５８】
また、図７（ｇ）、図７（ｈ）に示すように、先端45ａ、45ｂをピストン42ａ、42ｂとトリガー46との間へ回転移動した状態で、ピストン42ａ、42ｂとトリガー46が連結して、トリガー46を引くと先端45ａ、45ｂを介してピストン42ａ、42ｂが押圧される。
【００５９】
上記構成により、回転体45は、（１）先端45ａ、45ｂがピストン42ａ、42ｂの両方に当接する位置（図７（ａ）の位置）と、（２）先端45ａがピストン42ａのみに当接する位置（図７（ｂ）の位置）と、（３）先端45ｂがピストン42ｂのみに当接する位置（図７（ｃ）の位置）と、（４）先端45ａ、45ｂがピストン42ａ、42ｂのいずれにも当接しない位置（図７（ｄ）の位置）と、に回転軸45ｃを中心として回転移動して、切り替えを行う。
【００６０】
これにより、任意の１つの液（10ａ又は10ｂ）を選択して吐出可能な状態（図７（ｂ）、図７（ｃ）の状態）、２つの液（10ａ、10ｂの両方）を選択して、２つの液（10ａと10ｂ）を混合して同時に吐出可能な状態（図７（ａ）の状態）、２つの液（10ａと10ｂ）のいずれも吐出不可能な状態（図７（ｄ）の状態）、に切り替えることができる。
【００６１】
このように、回転体45の回動により、ピストン42ａ、42ｂを押圧するか否かを、各ピストン毎に行うことができる。これにより、上記第一実施形態と同様に、収容部１ａ、１ｂに収容された液体10ａ、10ｂを選択的に吐出することができる。すなわち、液体10ａのみ、液体10ｂのみ、液体10ａ、10ｂの両方を吐出する、液体10ａ、10ｂのいずれも吐出しない、という選択ができる。
【００６２】
また、回転体45を所定の位置に回転移動するといった簡単な操作で、ピストン42ａ、42ｂを押圧する状態と押圧しない状態に切り替えることができる。また、１つの回転体45で複数のピストン42ａ、42ｂを押圧する状態と押圧しない状態に切り替えることができる。また、ピストン42ａ、42ｂの先端はシリンダ内に収まっているため、誤ってピストン42ａ、42ｂを押してしまうことを抑制することができる。
【産業上の利用可能性】
【００６３】
本考案は、シャンプーとリンスを別々の収容部に収容したディスペンサー容器にも応用できる。
【図面の簡単な説明】
【００６４】
【図１】第一実施形態に係るスプレー装置の構成図である。
【図２】切り替え手段の説明図（断面図）である。
【図３】切り替え手段の説明図（斜視図）である。
【図４】スプレー装置Ａの動作の説明図である。
【図５】第二実施形態に係る切り替え手段の説明図である。
【図６】第三実施形態に係る切り替え手段の説明図である。
【図７】第四実施形態に係る切り替え手段の説明図である。
【符号の説明】
【００６５】
Ａ…スプレー装置、１ａ、１ｂ…収容部、２ａ、２ｂ、22ａ、22ｂ、42ａ、42ｂ…ピストン、２ａ１、２ｂ１…凸部、２ａ２、２ｂ２…加圧部、３ａ、３ｂ…チューブ、４…ノズル、４ａ…吐出口、５ａ、５ｂ…シャッター部材（切り替え手段に対応）、６、26、36、46…トリガー、６ａ、６ｂ…窓孔、10ａ、10ｂ…液体、11…壁面、12ａ、12ｂ…バルブ、22ａ１、22ｂ１、25ａ２、25ｂ２…嵌合部、25ａ、25ｂ…回動部材（切り替え手段に対応）、25ａ１、25ｂ１…回動軸、35…スライド部材（切り替え手段に対応）、42ａ１、42ｂ１、46ａ、46ｂ…係合凹部、45…回転体（切り替え手段に対応）、45ａ、45ｂ…先端、45ａ１、45ａ２、45ｂ１、45ｂ２…係合突起、45ｃ…回転軸
【図１】
0003109470.tif 000003
【図２】
0003109470.tif 000004
【図３】
0003109470.tif 000005
【図４】
0003109470.tif 000006
【図５】
0003109470.tif 000007
【図６】
0003109470.tif 000008
【図７】
0003109470.tif 000009